(57)【要約】      （修正有）【課題】机上での読書でも手持ちでも、いずれの場合でも身体への負担を緩和できるブックカバーを提供する。【解決の手段】書籍の背部を下にし、上花ぎれを上部フック４にかけ、軽く押し上げ、下花ぎれを下部フック５にかけ手を離す。引張バネ３により、スライドプレート２はセットプレート１内をスライドし４、５が上、下両花ぎれを押さえ込むことにより、書籍背部はセットフレーム１、スライドフレーム２の上にセットされ脱落、ずれ等がなく１、２は６０度の傾きを開始する。書籍の表紙は、スライドプレート８、補助スプリング１４の間に挟み込むように入れることにより、１４は書籍の小口を持ち上げる形となる。スライドバーを引き出すことにより、スライドプレート８は小口まで共に移動ができ、スライドバーは引張バネ１０により、５ミリほど引き戻され、８がストッパーとなり、所定位置に止まる。アーム１２を約直角に起こすことにより、クリップ１３、補助スプリング１４が小口を挟み込むことができ、目次の開示を保つことができる。【選択図】図１
0003148780.tif 000002
【実用新案登録請求の範囲】
【請求項１】
ブックカバー本体に、メカニズム機能を設け読書時が負担の少ない姿勢で過ごすことのできる特徴を生かした、フリーサイズ形式、万能ブックホルダー。
【考案の詳細な説明】
【技術の分野】
【０００１】  本考案は、メカニズム機能を採用した、フリーサイズ型万能ブックカバーに関するものである。
【背景技術】
【０００２】  従来読書時は、左右いずれかの手により書物等を持ち、尚且ついずれかの指で目次のキープを余儀なくされた。机上時に於いてもまた然り、ストレスの原因となる。
【考案の開示】
【考案が解決しようとする課題】
【０００３】  読書時は、腕、指先に必然的にかかる負担は不可欠であり、何気なく体の自由を抑しされてしまい、気だるさに陥るものである。まして、長時間の読書ともなると、その苦痛は計り知れないもので、当然疲労は蓄積し、体力の消耗に至る。いずれ健康上への悪影響に及ぼしかねない。
上述で指摘する課題は、従来からの読書時の姿勢であり、本考案はこれらの認識をメカニズム化することにより、抜本的解決を追求し、快適な読書時を過そうとするものである。
【課題を解決するための手段】
【０００４】  本考案は、部品総数２６点を用い構成されたメカニズムをカバー本体に取付け、上述の課題を解決するものである。セットフレーム両端に、ブラケットを用い、カバー本体の中央部にハトビスで取付ける。この際、セットフレームは、仕様に応じて左右へ最大６０度傾くとする。
スライドフレームを、セットフレームに組み込み、引張バネを用い６０ミリ程伸縮可動を確保し、ストッパーにより所定位置に静止する。この時、スライドフレームはスムーズな動きを必要とし、これによりフレーム部はフリーサイズ機能を備える。
アーム部は、フレームを中心に左右対称となり、すべて共通部品とする。
底板は、両アーム部の基準となり、各部品取り付け位置等の精度を要し、カバーに取付ける際、左右の底板の中心を、上、下に１０ミリずらしハトビスを用い所定位置に固定し、スライドプレートを底板内のレールに組み込む。
スライドバー、ジョイント、アーム、クリップの順に連結箇所をリベットにより、可動可能な状態で組み込むこと。この際スライドバーに補助スプリング、アーム、クリップ等には、ねじりバネを共に組み込み、プレート内のレールに上述のスライドバーを差し込む。引張バネを用い４０ミリ程の無理のない動きを確保することにより、アーム部のフリーサイズ機能を備える。以上の構成が、文庫本、新書、Ｂ６判、四六判、ハードカバーその他等の各書籍が対応可能になる。
【考案の効果】
【０００５】  本考案により、机上での読書時は目次の開示が安定性を保つことができ、目次を捲る作業のみに止まり、常時両手はフリーの状態を保つことができる。また手持ち時は、左右いずれかの手のひらに載せる、添える、あるいは挟むなどの方法により長時間の読書にもかかわらず、身体への負担は必然と緩和され、充実した快適な読書時を過ごすことができる。
取り付け所要時間は、１分以内とし尚、カバー本体の重量を１００グラム弱と軽量化を計ることのより威圧感がなく、常住坐臥長時間の読書ができるため、身障者の方々も利用可能となる。
【考案の実施するための最良の形態】
【０００６】  引張バネを用いることにより、スライドフレームが縦方向に、６０ミリほど移動能力を保持することは、文庫本、新書、Ｂ６判、四六判等の各サイズに対応するものであり、フックの使用は書籍等の脱落、ずれ等の防止である。また上述フレームが、左右６０度傾くことにより、書籍等の背、花ぎれ部の、破損を防ぐと共に、両アームへの負担をなくしスムーズな動きを助長する。底板に組み込まれたスライドプレートは、スライドバーの寸時の動きを保護し、目次の開示が安定性を保つものである。アーム、クリップ部のねじりバネが、それぞれの状況に応じて、左右両アームに正反対の動きを促す。補助スプリングを用いることは、各サイズに対応するものであり、アーム、クリップ両者が全く同様の機能を発揮するものであり、ハードカバーへの対応は最適である。
【実施例】
【０００７】  以下、添付図面に従って実施例を順追って説明する。アーム部においては、左右対称であるため正面図［図面１］の右側のみを実施例とする。
書籍の背部を下にし、上花ぎれを上部フック４にかけ、軽く押し上げ、下花ぎれを下部フック５にかけ手を離す。引張バネ３により、スライドプレート２はセットプレート１内をスライドし４、５が上、下両花ぎれを押さえ込むことにより、書籍背部はセットフレーム１、スライドフレーム２の上にセットされ脱落、ずれ等がなく１、２は６０度の傾きを開始する。傾きは目次の多い側となる。【０００８】  書籍の表紙は、スライドプレート８、補助スプリング１４の間に挟み込むように入れることにより、１４は書籍の小口を持ち上げる形となる。スライドバー９を引き出すことにより、スライドプレート８は小口まで共に移動ができ、スライドバー９は引張バネ１０により、５ミリほど引き戻され、８がストッパーとなり、所定位置に止まる。アーム１２を約直角に起こすことにより、クリップ１３、補助スプリング１４が小口を挟み込むことができ、目次の開示を保つことができる。この際、アーム１２、クリップ１３内に組み込まれたねじりバネが、９、１２、１３への連係動作を促し、目次の残量に応じて最適な機能を発揮する。【０００９】  上述の実施は、左右いずれからでも可能であり、十数秒を要する。読書進行中、１２、１３は左右正反対の動きが正常であり、尚１３は、しおり役を果たす故、開閉時の不安が全くない。
【図面の簡単な説明】
【００１０】
【図１】  本考案のメカニズム機能を示す正面図である。
【図２】  メカニズム構成Ａ−Ａ断面図である。
【符号の説明】
【００１１】１          セットフレーム
２          スライドフレーム
３          引張バネ
４          上フック
５          下フック
６          ブラッケト
７・１５    底板
８・１６    スライドプレート
９・１８    スライドバー
１０・１７  引張バネ
１１・１９  ジョイント
１２・２０  アーム
１３・２１  クリップ
１４・２２  補助スプリング
【図１】
0003148780.tif 000003
【図２】
0003148780.tif 000004
【手続補正書】
【提出日】平成20年8月21日(2008.8.21)
【手続補正１】
【補正対象書類名】実用新案登録請求の範囲
【補正対象項目名】全文
【補正方法】変更
【補正の内容】
【実用新案登録請求の範囲】
【請求項１】
本考案は、中央フレーム部と、左右対称のアーム部との組み合わせにより構成し、メカニズム機能化を図るものである。
フレーム部に於いては、セットフレーム（１）、スライドフレーム（２）、引張バネ（３）、ブラケット（６）により構成される。
両フレーム（１）、（２）の両側面を共にＵ字型レールに加工したものを用いることにより、セットフレーム（１）、スライドフレーム（２）は、レール内でのスライド組み合わせが可能となり、その内部に引張バネ（３）を用いることにより最大６０ミリほどのフリー機能が生じる。尚、両フレームの片端には、フック（４）、（５）を設ける。
上述フレームは、ブラケット（６）を用い、左右約６０度ほどのフリーの傾きを確保しカバー本体に取付ける。
アーム部に於いては、底板（７）、（１５）、スライドプレート（８）、（１６）、スライドバー（９）、（１８）、ジョイント（１１）、（１９）、アーム（１２）、（２０）、クリップ（１３）、（２１）、その他各スプリング等の部品を用い構成するものであり、部品は左右共通とする。
底板（７）、（１５）は、Ｌ型レールを施したものを使用し、フレームを中心に左右対称にカバー本体に取付ける。この際、底板の中心を上下に１０ミリずらすことにより、アーム部構成の基準を成す。取付けは最重要である。スライドプレート（８）、（１６）は、底板レール内に組み込むことにより、スライドバー（９）、（１８）を上から保護する。開閉された各書籍等の文台となる。
スライドバー（９）、（１８）は、片端に１５ミリのＵ字に加工したものを使用し、ジョイント（１１）、（１９）、アーム（１２）、（２０）、クリップ（１３）、（２１）、補助スプリング（１４）、（２２）等を取付ける。上述バーを底板スライドプレート内に差し込み、引張バネ（１０）、（１７）を用いることにより、左右６０ミリほどのフリー機能を確保する。スライドプレート（８）、（１６）は、書籍等のセットに際しスライドバーと共に、各サイズに応じた移動を可能とする。この際、両部品間には１０ミリほどフリーを保つ為のストッパーを設ける。
スライドバー、ジョイント、アーム、クリップ等の連結には、リベットを用いる。ジョイント（１１）、（１９）、アーム（１２）、（２０）、クリップ（１３）、（２１）等の連結間には、それぞれ異なるトルクのねじりバネを内蔵することにより、ジョイント（１１）、（１９）は、外側へ倒れ、アーム（１２）、（２０）は内側へ倒れ込むことにより、クリップ（１３）、（２１）の支点が、約１０ミリほどの移動が可能となる。これにより、クリップ（１３）、（２１）は目次の残量に応じ垂直の押さえ込みを可能とする。
尚、クリップ（１３）、（２１）には、ねじりバネと共に、ストッパー用の板バネが内蔵されたものを使用。
以上の構成により、メカニズムを機能化した特徴を生かすフリーサイズ型式万能ブックホルダー。
【手続補正書】
【提出日】平成20年11月20日(2008.11.20)
【手続補正１】
【補正対象書類名】実用新案登録請求の範囲
【補正対象項目名】全文
【補正方法】変更
【補正の内容】
【実用新案登録請求の範囲】
【請求項１】
（イ）セットフレーム（１）、スライドフレーム（２）、引張バネ（３）、ブラケット（６）等を用いることにより、フレーム部が構成される
（ロ）フレーム（１）、（２）の片端にフック（４）、（５）を設け各フレームの両側面にＵ字型レールを設けたものを使用する
（ハ）引張バネ（３）を用い、スライドフレーム（２）が左右へのフリー移動可能となる
（ニ）セットフレーム（１）の両端にブラケット（６）を用い、カバー本体に取付ける  この際フレームは、左右へのフリー傾きを可能となる
（ホ）底板（７）、（１５）、スライドプレート（８）、（１６）、スライドバー（９）、（１８）、ジョイント（１１）、（１９）、アーム（１２）、（２０）、クリップ（１３）、（２１）、引張バネ（１０）、（１７）、補助スプリング（１４）、（２２）その他各種スプリング等を用いることにより、左右対称のアーム部の構成となる  尚、使用される左右部品は全て共通部品とし、フレーム部との連動作用が不可欠である
（ヘ）底板（７）、（１５）は両側面にＬ型レールを設けたものを用い、カバー本体への取付けは、底板中心を上下に１０ミリずらすことが必要とされる
（ト）スライドプレート（８）、（１６）は、裏面にレールを設けたものを用い、底板（７）、（１５）に組み込むことにより、スライドバー（９）、（１８）がフリーの左右移動を促すとともに各書籍等の文台の役割となる  尚、１０ミリほどのフリーを保つストッパーを設ける
（チ）スライドバー（９）、（１８）は、片端を１５ミリＵ字加工したもの用い、補助スプリング（１４）、（２２）を組み込み、引張バネ（１０）、（１７）を用いることにより、左右移動が可能となる
（リ）ジョイント（１１）、（１９）、アーム（１２）、（２０）、クリップ（１３）、（２１）等の各連結にはリベットを用いる  トルクが異なるねじりバネを各連結部に内蔵したものを用い、スライドバー（９）、（１８）にジョイントする  この際、各連結部はスムーズな動きが必要とされる
（ヌ）クリップ（１３）、（２１）は、厚さ１．５ミリとし、下面がＲ３５の形状加工を必要とし、板バネが内臓されたものである
以上の（イ）〜（ヌ）の構成からなるフリーサイズ型万能ブックホルダー。